(57)【要約】【課題】本発明は、不正利用者の管理区画からの退室を制限し、セキュリティ性を高めることができる入退室管理装置を得ることを目的とするものである。【解決手段】管理制御部１は、入室用カードリーダ２、退室用カードリーダ３、電気錠４、及び生体情報取得装置としてのカメラ５が接続されている。また、管理制御部１には、入室及び退室管理に用いる認証比較データが登録され、利用者の認証を行う。さらに、管理制御部１は、管理区画内で異常が発生した際に、システム警報状態となり、管理者に知らせる。入室用カードリーダ２及び退室用カードリーダ３は、ＩＤカード６を読み込み、ＩＤ情報を管理制御部１へと出力する。カメラ５は、管理区画内の利用者の顔画像情報を取得し、管理制御部１へと出力する。【選択図】図１
2007023526.tif 000002
【特許請求の範囲】
【請求項１】
管理区画外の利用者により入力されたＩＤ情報に応じて上記管理区画への入室管理を行うとともに、生体情報取得装置から得た上記管理区画内の利用者の生体情報に応じて上記管理区画からの退室管理を行う管理制御部
を備えていることを特徴とする入退室管理装置。
【請求項２】
上記生体情報は、顔画像情報であり、上記生体情報取得装置は、上記管理区画内の利用者の顔画像情報を取得するカメラであることを特徴とする請求項１記載の入退室管理装置。
【請求項３】
上記管理制御部は、予め登録された認証比較データから、入室時に把握した利用者に対応する顔画像情報を抽出し、退出時には、抽出された顔画像情報とカメラから得た顔画像情報を比較することを特徴とする請求項２記載の入退室管理装置。
【請求項４】
上記管理制御部は、上記管理区画内の利用者により入力されたＩＤ情報と上記カメラから得た顔画像情報とに基づいて上記管理区画の退室管理を行うことを特徴とする請求項２又は請求項３に記載の入退室管理装置。
【請求項５】
上記管理制御部は、上記管理区画の出入口に設けられた電気錠を施錠・解錠することを特徴とする請求項１〜請求項４のいずれかに記載の入退室管理装置。
【発明の詳細な説明】
【技術分野】
【０００１】
この発明は、ＩＤ情報と顔画像情報とに応じて管理区画の出入管理を行う入退室管理装置に関するものである。
【背景技術】
【０００２】
従来の入退室管理装置は、個人カードを読み取る個人識別装置を操作中の利用者を監視カメラにより撮影していた（例えば、特許文献１参照）。
【０００３】
【特許文献１】特開２００５−７６３７８号公報
【発明の開示】
【発明が解決しようとする課題】
【０００４】
上記のような従来の入退室管理装置は、盗難・偽造等を受けた個人カードにおいて、失効措置をしていない個人カードを用いる不正利用者が管理区画に入退室することを防ぐことができず、不正利用者の画像を取得するだけであった。
【０００５】
この発明は、上記のような課題を解決するためになされたものであり、不正利用者の管理区画からの退室を制限し、セキュリティ性を高めることができる入退室管理装置を得ることを目的とする。
【課題を解決するための手段】
【０００６】
この発明に係る入退室管理装置は、管理区画外の利用者により入力されたＩＤ情報に応じて管理区画への入室管理を行うとともに、生体情報取得装置から得た管理区画内の利用者の生体情報に応じて管理区画からの退室管理を行う管理制御部を備えている。
【発明の効果】
【０００７】
この発明の入退室管理装置は、管理制御部が管理区画外の利用者により入力されたＩＤ情報に応じて管理区画への入室管理を行うとともに、生体情報取得装置から得た管理区画内の利用者の生体情報に応じて管理区画からの退室管理を行うことにより、入室時と退室時との利用者の認証方式が異なるので、生体情報を事前に登録していない不正利用者の退室を制限することができ、セキュリティ性を高めることができる。
【発明を実施するための最良の形態】
【０００８】
以下、この発明を実施するための最良の形態について、図面を参照して説明する。
実施の形態１．
図１は、この発明の実施の形態１による入退室管理装置を示すブロック図である。
図において、管理制御部１には、入室用カードリーダ２、退室用カードリーダ３、電気錠４、及び生体情報取得装置としてのカメラ５が接続されている。また、管理制御部１には、認証比較データが登録されている。認証比較データとは、管理区画の入退室が許可されているＩＤ情報、及びＩＤ情報に対応する通行可能者の顔画像情報である。さらに、管理制御部１は、退室管理動作で異常が発生した際に、システム警報状態となる。システム警報状態とは、管理区画内に不正利用者がいることを、管理室の管理者を含めた管理区画の外部に対して知らせる状態である。システム警報状態は、管理者により解除される。
【０００９】
入室用カードリーダ２及び退室用カードリーダ３は、ＩＤカード６を読み込み、ＩＤ情報を管理制御部１へと出力する。また、入室用カードリーダ２及び退室用カードリーダ３は、告知手段（図示せず）を有している。告知手段は、ＩＤカード６の読み込みの結果、及び管理制御部１からの認証の結果等を利用者に告知する。カメラ５は、管理区画内の利用者の顔画像情報を取得し、管理制御部１へと出力する。
【００１０】
図２は、図１の入退室管理装置の管理区画外部への設置状態を示す説明図である。図において、管理区画の出入口には、扉７が設けられている。また、扉７には、電気錠４が設けられている。電気錠４は、管理制御部１により施錠・解錠され、扉７の開閉を制限する。また、電気錠４は、扉７の開閉状態を管理制御部１に知らせる。扉７の近傍には、入室用カードリーダ２が設けられている。
【００１１】
図３は、図１の入退室管理装置の管理区画内部への設置状態を示す説明図である。図において、扉７の近傍には、退室用カードリーダ３及びカメラ５が設けられている。
【００１２】
次に、動作について説明する。利用者が入室用カードリーダ２にＩＤカード６を読み込ませると、ＩＤカード６のＩＤ情報が管理制御部１に送られる。管理制御部１は、取得したＩＤ情報が認証比較データに登録されているかどうかを判断し、登録されている場合、電気錠４を解錠させる。これにより、利用者は、扉７を開けて管理区画へと入室することが可能となる。
【００１３】
また、取得したＩＤ情報が認証比較データに登録されていない場合、管理制御部１は、告知手段により利用者の所持するＩＤカード６のＩＤ情報が管理区画の入室を許可されていないことを利用者に知らせて、電気錠４の施錠状態を維持させる。
【００１４】
図４は、図１の管理制御部１の退室管理動作を示すフローチャートである。管理制御部１は、退室用カードリーダ３がＩＤカード６による操作を受けるまで待機状態である（ステップＳ１）。そして、退室用カードリーダ３がＩＤカード６による操作を受けると、管理制御部１は、ＩＤカード６のＩＤ情報を取得し、取得したＩＤ情報が認証比較データに登録されているかどうかを判断する（ステップＳ２）。取得したＩＤ情報が認証比較データに登録されていない場合、管理制御部１は、利用者の所持するＩＤカード６のＩＤ情報が管理区画の退室を許可されていないことを利用者に知らせて（ステップＳ３）、退室用カードリーダ３が利用者から操作されるのを待つ。
【００１５】
また、取得したＩＤ情報が認証比較データに登録されている場合、管理制御部１は、カメラ５から利用者の顔画像情報を取得し（ステップＳ４）、取得した顔画像情報が認証比較データに登録されているかどうかを判断する（ステップＳ５）。取得した顔画像情報が認証比較データに登録されている場合、管理制御部１は、電気錠４を解錠させる（ステップＳ６）。これにより、利用者は、扉７を開けて、管理区画から退室することが可能となる。
【００１６】
一方、取得した顔画像情報が認証比較データに登録されていない場合、管理制御部１は、取得した顔画像情報を記録するとともに、システム警報状態へと移行し、不正利用者が管理区画内に存在していることを管理者に知らせる（ステップＳ７）。
【００１７】
ここで、管理制御部１は、演算処理部（ＣＰＵ）、記憶部（ＲＯＭ、ＲＡＭ及びハードディスク等）及び信号入出力部を持ったコンピュータ（図示せず）により構成することができる。そして、図４の動作は、管理制御部１のコンピュータにより実現することができる。
【００１８】
上記のような入退室管理装置では、入室時と退室時とで利用者の認証方式が異なるので、不正利用者の退室を制限し、セキュリティ性を向上させることができる。例えば、管理区画に侵入した不正利用者を管理区画内に拘束することができる。
【００１９】
なお、実施の形態１では、管理制御部１が退室管理を行う際、登録されている全ての顔画像情報と取得した利用者の顔画像情報とを比較していたが、入力されたＩＤ情報に対応する通行許可者の顔画像情報のみを抽出し、カメラから取得した顔画像情報と抽出した顔画像情報とを比較してもよい。これにより、退室時の利用者の認証時間を短縮することができる。
【００２０】
実施の形態２．
図５は、この発明の実施の形態２による入退室管理装置を示すブロック図、図６は、図５の入退室管理装置の管理区画内部への設置状態を示す説明図である。実施の形態２では、退室用カードリーダ３の代わりとして、退室操作盤８が管理区画内に設けられている。退室操作盤８は、管理区画内の利用者によって操作される。また、退室操作盤８の操作状態は、管理制御部１によって監視されている。他の構成は、実施の形態１と同様である。
【００２１】
次に、動作について説明する。管理制御部１の入室管理の動作は、実施の形態１と同様である。図７は、この発明の実施の形態２による入退室管理装置の退室管理動作を示すフローチャートである。管理制御部１は、退室操作盤８が利用者により操作されるまで待機する（ステップＳ８）。退室操作盤８が操作されると、管理制御部１は、カメラ５から利用者の顔画像情報を取得する（ステップＳ９）。
【００２２】
そして、認証比較データの中に取得した顔画像情報が登録されているかどうかを判断する（ステップＳ１０）。取得した顔画像情報が登録されている場合、管理制御部１は、電気錠４を解錠させる（ステップＳ１１）。そして、利用者は、扉７を開けて、管理区画から退室することが可能となる。
【００２３】
また、取得した顔画像情報が認証比較データに登録されていない場合、管理制御部１は、取得した顔画像情報を記録するとともに、システム警報状態へと移行し、不正利用者が管理区画内に存在していることを管理者に知らせる（ステップＳ１２）。
【００２４】
上記のような入退室管理装置では、管理制御部１が利用者の顔画像情報のみで退出管理（いわゆる１：Ｎ認証）を行い、退室時にＩＤカード６を必要としないため、退室する利用者の利便性を向上させることができる。
【００２５】
実施の形態３．
次に、この発明の実施の形態３による入退室管理装置について説明する。但し、入退室管理装置の構成は実施の形態２と同様であるため、動作についてのみ説明する。
管理制御部１の入室管理の動作は、利用者からＩＤ情報を受けることにより管理制御部１が入室している利用者を把握し、入室している利用者の顔情報を認証比較データから抽出し、その抽出した顔画像情報を入室者顔画像情報として記憶する。その他の管理制御部１の入室管理の動作は、実施の形態２と同様である。
【００２６】
また、図８は、この発明の実施の形態３による入退室管理装置の退室管理動作を示すフローチャートである。管理制御部１は、退室操作盤８が利用者により操作されるまで待機する（ステップＳ１３）。退室操作盤８が操作されると、管理制御部１は、カメラ５から利用者の顔画像情報を取得する（ステップＳ１４）。
【００２７】
そして、入室者顔画像情報と取得した利用者の顔画像情報とを比較する（ステップＳ１５）。利用者の顔画像情報が入室者顔画像情報と一致する場合、管理制御部１は、電気錠４を解錠させる（ステップＳ１６）。そして、利用者は、扉７を開けて、管理区画から退室することが可能となる。
【００２８】
また、取得した顔画像情報が入室者顔画像情報と一致しない場合、管理制御部１は、取得した顔画像情報を記録するとともに、システム警報状態へと移行し、不正利用者が管理区画内に存在していることを管理者に知らせる（ステップＳ１７）。
【００２９】
上記の様な入退室管理装置では、管理制御部１が認証比較データから抽出した顔画像情報を用いて退室管理を行うので、取得した顔画像情報を比較する際の認証比較データが限定されるため認証誤りを軽減することができるとともに、退室時の利用者の認証時間を短縮することができる。
【００３０】
なお、実施の形態１〜３では、生体情報として顔画像情報を用いたが、生体情報は、顔画像情報に限らず、例えば指紋、静脈、虹彩又は声紋等であってもよい。従って、生体情報取得装置は、カメラに限らず、指紋、静脈、虹彩又は声紋等を読み込む装置であってもよい。
【００３１】
また、認証比較データに登録されているＩＤ情報とＩＤ情報に対応する顔画像情報との関係は、必ずしも１：１の関係に限らず、一つのＩＤ情報に対して複数名の通行許可者の顔画像情報を登録してもよい。これにより、例えばグループ等で複数名の利用者が一つのＩＤカードを用いて管理区画を入退室することが可能となる。
【図面の簡単な説明】
【００３２】
【図１】この発明の実施の形態１による入退室管理装置を示すブロック図である。
【図２】図１の入退室管理装置の管理区画外部への設置状態を示す説明図である。
【図３】図１の入退室管理装置の管理区画内部への設置状態を示す説明図である。
【図４】図１の管理制御部の退室管理動作を示すフローチャートである。
【図５】この発明の実施の形態２による入退室管理装置を示すブロック図である。
【図６】図５の入退室管理装置の管理区画内部への設置状態を示す説明図である。
【図７】この発明の実施の形態２による入退室管理装置の退室管理動作を示すフローチャートである。
【図８】この発明の実施の形態３による入退室管理装置の退室管理動作を示すフローチャートである。
【符号の説明】
【００３３】
１  管理制御部、４  電気錠、５  カメラ（生体情報取得装置）。
【図１】
2007023526.tif 000003
【図２】
2007023526.tif 000004
【図３】
2007023526.tif 000005
【図４】
2007023526.tif 000006
【図５】
2007023526.tif 000007
【図６】
2007023526.tif 000008
【図７】
2007023526.tif 000009
【図８】
2007023526.tif 000010